(57)【要約】【課題】普通機と称されるパチンコ遊技機において、複数の入賞装置への入賞順序の適否を報知する。また、該報知により遊技者にとって有利となる入賞順序の学習を可能にして、遊技者が遊技を行いながら興趣を持って遊技方法を習得できるパチンコ遊技機を提供する。【解決手段】    遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段２の検知出力に基づき入賞順序の適否に基づく光表示態様によって報知する報知手段９を備えたパチンコ遊技機。【選択図】図１４
2010125077.tif 000002
【特許請求の範囲】
【請求項１】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞検知手段の検知出力に基づき入賞順序の適否に基づく光表示態様によって報知する報知手段を備えた
ことを特徴とするパチンコ遊技機。
【請求項２】
請求項１において、
前記入賞装置への入賞順序の適否に応じて前記報知手段によって報知される光表示態様を任意のタイミング、光表示態様の種類またはおよび順序で設定する報知順序設定手段を備えた
ことを特徴とするパチンコ遊技機。
【請求項３】
請求項１または請求項２において、
前記複数の進入穴への遊技球の進入または前記入賞装置への入賞のタイミングに同期して前記報知順序設定手段が作動する
ことを特徴とするパチンコ遊技機。
【請求項４】
請求項１ないし請求項３のいずれかにおいて
前記入賞装置への入賞により獲得する賞球数が遊技者にとって有利となる順序で入賞した場合には、前記入賞順序の適否に応じて設定された順序の光表示態様が互いに関連して違和感のない光表示態様を形成するように構成されている
ことを特徴とするパチンコ遊技機。
【請求項５】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置毎に異なった光表示態様が設定されており、設定された光表示態様が前記複数の入賞装置への入賞順序の適否を反映するように構成されている
ことを特徴とするパチンコ遊技機。
【請求項６】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった光表示態様によって報知する報知手段とを備えた
ことを特徴とするパチンコ遊技機。
【請求項７】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置の開閉状態を検知する開閉状態検知手段と、
入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった光表示態様によって報知する報知手段とを備えた
ことを特徴とするパチンコ遊技機。
【請求項８】
請求項５ないし請求項７のいずれかにおいて
前記入賞装置への入賞により獲得する賞球数が遊技者にとって有利となる順序で入賞した場合には、前記報知手段により報知する光表示態様が互いに関連して違和感のない光表示態様を形成するように構成されている
ことを特徴とするパチンコ遊技機。
【請求項９】
請求項１ないし請求項８のいずれかにおいて、
前記報知手段が、点灯図柄が異なる複数の光表示態様を報知可能である
ことを特徴とするパチンコ遊技機。
【請求項１０】
請求項１ないし請求項９のいずれかにおいて
前記報知手段が、点灯する光表示部の数およびまたは位置が異なる複数の光表示態様を報知可能である
ことを特徴とするパチンコ遊技機。
【請求項１１】
請求項１ないし請求項１０のいずれかにおいて
前記報知手段が、点灯する光の色が異なる複数の光表示態様を報知可能である
ことを特徴とするパチンコ遊技機。
【請求項１２】
請求項１ないし請求項１１のいずれかにおいて
前記報知手段が、点灯または点滅する光の光量が異なる複数の光表示態様を報知可能である
ことを特徴とするパチンコ遊技機。
【請求項１３】
請求項１ないし請求項１２のいずれかにおいて
前記報知手段が、点滅する光の点滅周期が異なる複数の光表示態様を報知可能である
ことを特徴とするパチンコ遊技機。
【発明の詳細な説明】
【技術分野】
【０００１】
本発明は、パチンコ遊技機において、遊技球の入球しやすい拡開状態と、遊技球の入球しにくい閉鎖状態を備えた入賞装置を複数有するパチンコ遊技機において、各入賞装置への入賞または複数の進入穴からの遊技球の進入により前記入賞装置の拡開状態および閉鎖状態が変換されるとともに、入賞順序の適否に基づく光表示態様によって報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、役物装置または入賞口に遊技球が入賞した時に飾りＬＥＤを点灯または点滅させるものであった。
【特許文献１】特開２０００−２３３０５１
【０００４】
上述したように一般に、普通機と称されるパチンコ遊技機については、第１入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされている。
【発明の開示】
【発明が解決しようとする課題】
【０００５】
しかしながら、上記従来のパチンコ遊技機においては、図２５に示されるように、電源投入時、カウンタの値を０からスタートさせ、２．７１ｍｓ毎に入力される割込み信号毎に、該カウンタの値を１つずつ更新アップし、ＲＯＭに配備された一連のプログラム処理を終えて、次回の割り込み信号が入力されるまでの間においても、該カウンタの値を１つずつ更新アップを行なうとともに、記憶したカウンタの値に対応した飾りＬＥＤを点滅または点灯させるものであり、該役物装置への入賞順序の適否を遊技者に報知することができないという問題があった。
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、入賞検知手段の検知出力に基づき入賞順序の適否に基づく光表示態様によって報知するという本発明の技術的思想に着眼して、さらに研究開発を重ねた結果、遊技者は報知された光表示態様により前記入賞装置への入賞順序の適否を知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞検知手段の検知出力に基づき入賞順序の適否に基づく光表示態様によって報知する報知手段を備えた
ものである。
【０００９】
本発明（請求項２に記載の第２発明）のパチンコ遊技機は、
前記第１発明において、
前記入賞装置への入賞順序の適否に応じて前記報知手段によって報知される光表示態様を任意のタイミング、光表示態様の種類またはおよび順序で設定する報知順序設定手段を備えた
ものである。
【００１０】
本発明（請求項３に記載の第３発明）のパチンコ遊技機は、
前記第１発明または第２発明において、
前記複数の進入穴への遊技球の進入または前記入賞装置への入賞のタイミングに同期して前記報知順序設定手段が作動する
ものである。
【００１１】
本発明（請求項４に記載の第４発明）のパチンコ遊技機は、
前記第１発明ないし第３発明のいずれかにおいて
前記入賞装置への入賞により獲得する賞球数が遊技者にとって有利となる順序で入賞した場合には、前記入賞順序の適否に応じて設定された順序の光表示態様が互いに関連して違和感のない光表示態様を形成するように構成されている
ものである。
【００１２】
本発明（請求項５に記載の第５発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置毎に異なった光表示態様が設定されており、設定された光表示態様が前記複数の入賞装置への入賞順序の適否を反映するように構成されている
ものである。
【００１３】
本発明（請求項６に記載の第６発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった光表示態様によって報知する報知手段とを備えた
ものである。
【００１４】
本発明（請求項７に記載の第７発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置の開閉状態を検知する開閉状態検知手段と、
入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった光表示態様によって報知する報知手段とを備えた
ものである。
【００１５】
本発明（請求項８に記載の第８発明）のパチンコ遊技機は、
前記第５発明ないし第７発明のいずれかにおいて
前記入賞装置への入賞により獲得する賞球数が遊技者にとって有利となる順序で入賞した場合には、前記報知手段により報知する光表示態様が互いに関連して違和感のない光表示態様を形成するように構成されている
ものである。
【００１６】
本発明（請求項９に記載の第９発明）のパチンコ遊技機は、
前記第１発明ないし第８発明のいずれかにおいて、
前記報知手段が、点灯図柄が異なる複数の光表示態様を報知可能である
ものである。
【００１７】
本発明（請求項１０に記載の第１０発明）のパチンコ遊技機は、
前記第１発明ないし第９発明のいずれかにおいて
前記報知手段が、点灯する光表示部の数およびまたは位置が異なる複数の光表示態様を報知可能である
ものである。
【００１８】
本発明（請求項１１に記載の第１１発明）のパチンコ遊技機は、
前記第１発明ないし第１０発明のいずれかにおいて
前記報知手段が、点灯する光の色が異なる複数の光表示態様を報知可能である
ものである。
【００１９】
本発明（請求項１２に記載の第１２発明）のパチンコ遊技機は、
前記第１発明ないし第１１発明のいずれかにおいて
前記報知手段が、点灯または点滅する光の光量が異なる複数の光表示態様を報知可能である
ものである。
【００２０】
本発明（請求項１３に記載の第１３発明）のパチンコ遊技機は、
前記第１発明ないし第１２発明のいずれかにおいて
前記報知手段が、点滅する光の点滅周期が異なる複数の光表示態様を報知可能である
ものである。
【発明の効果】
【００２１】
本発明（請求項１に記載の第１発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、前記入賞検知手段の検知出力に基づき、前記報知手段によって入賞順序の適否に基づく光表示態様によって報知するので、遊技者が報知された光表示態様により前記入賞装置への入賞順序の適否を知ることができるという効果を奏する。
【００２２】
本発明（請求項２に記載の第２発明）のパチンコ遊技機は、前記第１発明において、前記報知順序設定手段が、前記入賞装置への入賞順序の適否に応じて前記報知手段によって報知される光表示態様を任意のタイミング、種類またはおよび順序で設定するので、前記報知順序設定手段の作動を契機として報知する光表示態様のタイミング、種類またはおよび順序を変更するため、遊技者に興趣のある遊技を提供することができるという効果を奏する。
【００２３】
本発明（請求項３に記載の第３発明）のパチンコ遊技機は、前記第１発明ないし第２発明のいずれかにおいて、前記複数の進入穴への遊技球の進入または前記入賞装置への入賞のタイミングに同期して前記報知順序設定手段が作動するので、前記報知手段において報知される光表示態様の順序の基準を明確にすることができるという効果を奏する。
【００２４】
本発明（請求項４に記載の第４発明）のパチンコ遊技機は、前記第１発明ないし第３発明のいずれかにおいて、前記入賞装置への入賞により獲得する賞球数が遊技者にとって有利となる順序で入賞した場合には、前記入賞順序の適否に応じて設定された順序の光表示態様が互いに関連して違和感のない光表示態様を形成するので、遊技者は報知された該光表示態様によって前記複数の入賞装置での入賞した順序が、遊技者にとって有利となる入賞順序であったかどうかを知ることができるという効果を奏するとともに、報知された該光表示態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【００２５】
本発明（請求項５に記載の第５発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、前記入賞検知手段の検知出力に基づき、前記報知手段によって入賞装置毎に設定された前記複数の入賞装置への入賞順序の適否を反映する異なった光表示態様によって報知するので、遊技者が報知された光表示態様により入賞した入賞装置の適否を知ることができるという効果を奏する。
【００２６】
本発明（請求項６に記載の第６発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、入賞装置に入賞する毎に、前記入賞情報比較手段によって前記入賞検知手段により検知された前回の入賞情報と前記入賞検知手段により検知された今回の入賞情報とを比較することにより、入賞情報比較手段の比較結果に基づき前記報知手段によって、前回の入賞情報に対して今回の入賞情報が遊技者にとって有利かどうかで異なった光表示態様によって報知するので、遊技者が報知された光表示態様により前記入賞装置への入賞が遊技者にとって有利かどうかを知ることができるという効果を奏するとともに、報知された該光表示態様によって前記入賞装置への入賞が、遊技者にとって有利となる入賞であったかどうかを報知するため、遊技者に対して間接的に遊技者にとって有利となる前記入賞装置への入賞順序の学習を可能にすることができるので、遊技者は遊技を行いながら興趣を持って遊技方法を習得することができるという効果を奏する。
【００２７】
本発明（請求項７に記載の第７発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記開閉状態検知手段により入賞装置の開閉状態を検知して、前記入賞検知手段によって入賞装置への入賞を検知して、入賞情報を出力することにより、前記入賞装置に入賞する毎に、前記判定手段において入賞検知手段により検知された入賞情報および入賞前における開閉状態検知手段により検知された開閉状態に基づいて構成される前記入賞判定テーブルに従って、該入賞が遊技者にとって有利な入賞かどうかを判定して、前記報知手段によって前記判定手段における判定結果に基づいた光表示態様によって報知するので、遊技者は報知された光表示態様により前記入賞装置への入賞が遊技者にとって有利な入賞であったかどうかを知ることができるという効果を奏するとともに、報知された該光表示態様によって前記入賞装置への入賞が、遊技者にとって有利となる入賞であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００２８】
本発明（請求項８に記載の第８発明）のパチンコ遊技機は、前記第５発明ないし第７発明のいずれかにおいて、前記入賞装置への入賞により獲得する賞球数が遊技者にとって有利となる順序で入賞した場合には、前記報知手段により報知する光表示態様が互いに関連して違和感のない光表示態様を形成するので、遊技者は報知された該光表示態様により前記複数の入賞装置への入賞順序が、遊技者にとって有利であったかどうかを知ることができるという効果を奏する。また、報知された該光表示態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を取得することができるという効果を奏する。
【００２９】
本発明（請求項９に記載の第９発明）のパチンコ遊技機は、前記第１発明ないし第８発明のいずれかにおいて、前記入賞装置への入賞順序の適否に基づき点灯図柄が異なる複数の光表示態様によって報知するので、遊技者が報知された光表示態様により興趣をもって前記入賞装置への入賞順序の適否を知ることができるという効果を奏する。
【００３０】
本発明（請求項１０に記載の第１０発明）のパチンコ遊技機は、前記第１発明ないし第９発明のいずれかにおいて、前記入賞装置への入賞順序の適否に基づき点灯する光表示部の数およびまたは位置が異なる複数の光表示態様によって報知するので、遊技者が報知された光表示態様により興趣をもって前記入賞装置への入賞順序の適否を知ることができるという効果を奏する。
【００３１】
本発明（請求項１１に記載の第１１発明）のパチンコ遊技機は、前記第１発明ないし第１０発明のいずれかにおいて、前記入賞装置への入賞順序の適否に基づき点灯する光の色が異なる複数の光表示態様によって報知するので、遊技者が報知された光表示態様により興趣をもって前記入賞装置への入賞順序の適否を知ることができるという効果を奏する。
【００３２】
本発明（請求項１２に記載の第１２発明）のパチンコ遊技機は、前記第１発明ないし第１１発明のいずれかにおいて、前記入賞装置への入賞順序の適否に基づき点灯または点滅する光の光量が異なる複数の光表示態様によって報知するので、遊技者が報知された光表示態様により興趣をもって前記入賞装置への入賞順序の適否を知ることができるという効果を奏する。
【００３３】
本発明（請求項１３に記載の第１３発明）のパチンコ遊技機は、前記第１発明ないし第１２発明のいずれかにおいて、前記入賞装置への入賞順序の適否に基づき点滅する光の点滅周期が異なる複数の光表示態様によって報知するので、遊技者が報知された光表示態様により興趣をもって前記入賞装置への入賞順序の適否を知ることができるという効果を奏する。
【発明を実施するための最良の形態】
【００３４】
以下本発明の最良の実施の形態につき実施例に基づき、図面を用いて説明する。
【実施例１】
【００３５】
本第１実施例のパチンコ遊技機は前記第５発明、第７発明および第９発明の実施例であり、図１２に示されるように第２種非電動役物１２ないし１５の左誘導部材および右誘導部材に誘導されて入賞した遊技球を検知する入賞検知スイッチ２９および２５毎に異なったドット表示による点灯図柄の光表示態様が設定されていて、設定された異なった点灯図柄の光表示態様が前記第２種非電動役物１２ないし１５への入賞順序の適否を反映するように構成した点を特徴とする。
【００３６】
また、第２種非電動役物１２ないし１４の左誘導部材および右誘導部材に誘導されて入賞した遊技球を遊技盤１００の後方に形成された遊技球導出路において同一経路を通過するように構成して、該同一経路に前記入賞検知スイッチ２９を配設することにより、パチンコ遊技機製造に必要となる入賞検知スイッチの数を減らした点に特徴がある。
【００３７】
第１実施例のパチンコ遊技機は、図１ないし図１２に示されるように、遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段の検知出力に基づき入賞順序の適否に基づく光表示態様によって報知する報知手段９を備えるものである。
【００３８】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００３９】
前記変換機構１は、遊技球の進入を検知して、前記第１種非電動役物および第２種非電動役物の誘導状態を変換する変換機構１０Ｔないし１５Ｔによって構成される。
【００４０】
前記入賞検知手段２は、各入賞装置への入賞を検知して入賞情報を出力する入賞検知スイッチ２０、２１、２５、２６、２７および２９によって構成される。
【００４１】
前記報知手段９は、前記入賞検知スイッチ２０、２１、２５、２６、２７および２９より出力された入賞情報に基づいて、前記入賞検知スイッチ毎に設定された光表示態様を出力する光表示部８としてのドット表示部１０１によって構成される。
【００４２】
第１実施例のパチンコ遊技機は、前記入賞検知スイッチ２０、２１、２５、２６、２７および２９より出力された入賞情報に基づいて同一または異なった光表示態様（すなわち光表示の発生態様）で報知する前記ドット表示部１０１と、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００４３】
前記第１種非電動役物１０は、図４または図５に示されるように略扇形状に形成され対向して揺動可能に配設された左誘導部材４０および右誘導部材４１と、変換機構１０Ｔにより構成されている。
【００４４】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００４５】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００４６】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００４７】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００４８】
前記第１種非電動役物１１および変換機構１１Ｔは前記第１種非電動役物１０および変換機構１０Ｔと同様の構成であるため説明を省略する。
【００４９】
前記第２種非電動役物１２は、図６ないし図９に示されるように略扇形状に形成された左誘導部材５０および右誘導部材５１と、変換機構１２Ｔにより構成されている。
【００５０】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００５１】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００５２】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００５３】
第２種非電動役物１４および変換機構１４Ｔは前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下点ＯＰに落下することにより拡開状態となるように構成されている。
【００５４】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００５５】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００５６】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００５７】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００５８】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００５９】
本第１実施例のパチンコ遊技機の制御システムの概要は図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記ドット表示部１０１に対して出力指令を出力するランプ制御基板８４と、前記メイン制御基板８０からの信号を入力して賞球払出指令を出力する払出制御基板８５によって構成される。
【００６０】
以下において、本第１実施例における前記ドット表示部１０１によって報知される光表示態様（光表示の発生態様）の決定制御を説明する。
【００６１】
本第１実施例のパチンコ遊技機における前記第１種非電動役物１０および１１へ遊技球が入賞すると図１２に示されるように前記入賞検知スイッチ２０および２１に対応して設定された光表示態様（サ）が前記ドット表示部１０１によって報知される。同様に、入賞口１６および１７へ遊技球が入賞すると前記入賞検知スイッチ２６および２７に対応して設定された光表示態様（タ）が前記ドット表示部１０１によって報知される。
【００６２】
また、第２種非電動役物１２ないし１４の前記左誘導部材および右誘導部材に誘導されて遊技球が入賞すると図１２に示されるように前記入賞検知スイッチ２９に対応して設定された光表示態様（ア）が前記ドット表示部１０１によって報知される。同様に、第２種非電動役物１５の前記左誘導部材および右誘導部材に誘導されて遊技球が入賞すると前記入賞検知スイッチ２５に対応して設定された光表示態様（イ）が前記ドット表示部１０１によって報知される。
【００６３】
すなわち、本第１実施例のパチンコ遊技機は上述したように遊技者にとって有利となる順序で前記第２種非電動役物１２ないし１５の前記左誘導部材および右誘導部材に誘導されて遊技球が入賞すると「光表示態様（ア）→光表示態様（イ）→光表示態様（ア）→…」のように光表示態様（ア）と光表示態様（イ）が交互に報知されて違和感のない光表示態様の順序を形成するように光表示態様が設定されているものである。逆に遊技者にとって有利でない順序で前記第２種非電動役物１２ないし１５の前記左誘導部材および右誘導部材に誘導されて遊技球が入賞すると「光表示態様（ア）→光表示態様（ア）→光表示態様（イ）→…」のように光表示態様（ア）が続けて報知されてちぐはぐな光表示態様の順序を形成するように光表示態様が設定されているものである。
【００６４】
なお、本第１実施例のパチンコ遊技機では、図１２に示されるように一例として光表示態様（ア）については例えば花火の打ち上げから開花直前までをイメージさせるドット表示に設定し、光表示態様（イ）については例えば花火の開花をイメージさせるドット表示に夫々設定することにより、「光表示態様（ア）→光表示態様（イ）→光表示態様（ア）→…」のように光表示態様（ア）と光表示態様（イ）が交互に報知された場合には違和感のない光表示態様の順序となるようにして意味を有するようにして、「光表示態様（ア）→光表示態様（ア）→光表示態様（イ）→…」のように光表示態様（ア）が続けて報知された場合には連続する光表示態様がちぐはぐな発生順序となるものである。
【００６５】
以下、上記構成および作用の本第１実施例のパチンコ遊技機の効果について説明する。
【００６６】
本第１実施例のパチンコ遊技機は、前記入賞検知スイッチ２０、２１、２５、２６、２７および２９が入賞装置への入賞を検知するとともに入賞情報を出力して、前記入賞検知スイッチ２０、２１、２５、２６、２７および２９毎に同一または異なった光表示態様が設定されていて、前記ドット表示部１０１によって報知される設定された光表示態様が前記第２種非電動役物１２ないし１５への入賞順序の適否を反映するように構成されているので、遊技者が報知された連続する光表示態様の順序により入賞した入賞装置の適否を知ることができるという効果を奏する。
【００６７】
本第１実施例のパチンコ遊技機は、前記第２種非電動役物１２ないし１５への入賞により獲得する賞球数が遊技者にとって有利となる順序で入賞した場合には、報知された光表示態様が互いに関連して違和感のない光表示態様を形成するので、遊技者は報知された該光表示態様によって前記第２種非電動役物１２ないし１５への入賞した順序が遊技者にとって有利となる入賞順序であったかどうかを知ることができるという効果を奏する。
【００６８】
本第１実施例のパチンコ遊技機は、報知された該光表示態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００６９】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【００７０】
本第１実施例のパチンコ遊技機は、前記第２種非電動役物１２ないし１５への入賞順序の適否に基づきドット表示による点灯図柄が異なる複数の光表示態様によって報知するので、遊技者が報知された光表示態様により興趣をもって前記第２種非電動役物１２ないし１５への入賞順序の適否を知ることができるという効果を奏する。
【実施例２】
【００７１】
本第２実施例のパチンコ遊技機は前記第１発明、第２発明ないし第４発明および第１０発明の実施例であり、図１３に示されるように入賞検知スイッチ２０ないし２７より出力された入賞情報および後述する検知順序に基づいてＬＥＤ９８ａないし９８ｉの点灯する数および位置が異なる光表示態様を選択する光表示態様割振手段８６を備えたことを特徴とするもので、以下相違点を中心に説明する。
【００７２】
なお前記光表示態様割振手段８６は、図１４に示されるように遊技者にとって有利となる順序で遊技球が第２種非電動役物１２ないし１５の前記左誘導部材および右誘導部材に誘導されて入賞した場合に、選択される光表示態様が互いに関連して違和感のない光表示態様を形成するように構成されているものである。
【００７３】
第２実施例のパチンコ遊技機は、図１、図２、図４ないし図１０および図１３ないし図１５に示されるように、遊技球の打ち出しを行なう操作ハンドル１４１と、遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２、１３、１４および１５と、前記遊技盤１００の後方に配設されたＬＥＤ９８ａないし９８ｉより出力された光表示態様を遊技盤１００の前方へ連絡する光表示部８としてのクリアプレート９９Ａないし９９Ｉが配設されている。
【００７４】
前記操作ハンドル１４１は、遊技者から視認可能な一部に光表示部８としてのクリアプレート９９Ｊを備えており、前記操作ハンドル１４１の内部に格納されたＬＥＤ９８ｊより出力された光表示態様は、前記クリアプレート９９Ｊを介し遊技者に報知される。
【００７５】
前記入賞検知手段２は、各入賞装置への入賞を検知して夫々の入賞情報を出力する入賞検知スイッチ２０ないし２７によって構成される。
【００７６】
前記報知手段９は、前記入賞検知スイッチ２０ないし２７より出力された入賞情報に基づいて設定された順序で光表示態様を出力する前記ＬＥＤ９８ａないし９８ｊによって構成される。
【００７７】
第２実施例のパチンコ遊技機は、前記入賞検知スイッチ２０ないし２７より出力された入賞情報および検知順序に基づいて前記ＬＥＤ９８ａないし９８ｊによって報知する光表示態様（光表示の発生態様）を選択する光表示態様割振手段８６と、遊技球の進入によって前記光表示態様割振手段８６における検知順序をリセットする左ゲート３０、中ゲート３１および右ゲート３２と、該左ゲート３０、中ゲート３１または右ゲート３２に遊技球が進入したことを検知するゲート進入検知スイッチ２８を備えている。
【００７８】
以下において、本第２実施例における前記ＬＥＤ９８ａないし９８ｊによって報知される光表示態様の決定制御を説明する。
【００７９】
本第２実施例のパチンコ遊技機における前記光表示態様割振手段８６は図１４に示されるように、第１種非電動役物１０および１１における入賞を検知する入賞検知スイッチ２０および２１に対しては検知順序によらず光表示態様（サ）として表される同一の光表示態様が選択され、入賞口１６および１７における入賞を検知する入賞検知スイッチ２６および２７に対しては検知順序によらず光表示態様（タ）として表される同一の光表示態様が選択される。
【００８０】
一方、第２種非電動役物１２ないし１５における入賞を検知する入賞検知スイッチ２２ないし２５に対しては、図１４に示されるように検知順序に応じた光表示態様（ア）ないし光表示態様（コ）、光表示態様（ア）´ないし光表示態様（コ）´および光表示態様（ア）´´ないし光表示態様（コ）´´が選択されるように構成されている。
なお、図１４に示される前記光表示態様割振手段８６における検知順序は前記左ゲート３０、中ゲート３１または右ゲート３２に遊技球が進入したことを前記ゲート進入検知スイッチ２８において検知した時にリセットされ、前記第２種非電動役物１２ないし１５の左誘導部材および右誘導部材に誘導されて入賞した遊技球を前記入賞検知スイッチ２２ないし２５において検知した時に次の検知順序へと移行する。
【００８１】
最初に、遊技球の打ち出しが開始される。この時点における前記光表示態様割振手段８６の検知順序は「１」となる。
【００８２】
ここで遊技球が前記第１種非電動役物１０に入賞すると、図１４に示される前記光表示態様割振手段８６の入賞検知スイッチ２０・検知順序「１」の項目が参照され前記ＬＥＤ９８ｈにおいて光表示態様（サ）が報知される。同様に、遊技球が前記第１種非電動役物１１に入賞すると、前記光表示態様割振手段８６の入賞検知スイッチ２１・検知順序「１」の項目が参照され前記ＬＥＤ９８ｈにおいて光表示態様（サ）が報知される。なお、光表示態様（サ）については前記ＬＥＤ９８ｈを１ｓ間点滅させるものである。
【００８３】
また、遊技球が前記入賞口１６に入賞すると、前記光表示態様割振手段８６の入賞検知スイッチ２６・検知順序「１」の項目が参照され前記ＬＥＤ９８ｉにおいて光表示態様（タ）が報知され、遊技球が前記入賞口１７に入賞すると、前記光表示態様割振手段８６の入賞検知スイッチ２７・検知順序「１」の項目が参照され前記ＬＥＤ９８ｉにおいて光表示態様（タ）が報知される。なお、光表示態様（タ）については前記ＬＥＤ９８ｉを１ｓ間点滅させるものである。
【００８４】
次に、遊技球が前記左ゲート３０に進入すると、前記変換機構１２Ｔおよび１３Ｔが作動して前記第２種非電動役物１２および第２種非電動役物１３が拡開状態となる。以下においては、この状態を「状態１」として説明する。
【００８５】
「状態１」において、前記第２種非電動役物１２の上入賞口より遊技球が入賞すると、本第２実施例のパチンコ遊技機は前記第２種非電動役物１２の上入賞口より入賞した遊技球を検知する入賞検知スイッチを備えていないため、当然として該入賞情報は前記光表示態様割振手段８６へ出力されないので前記ＬＥＤ９８ａないし９８ｊによって光表示態様は報知されない。
【００８６】
一方「状態１」において、第２種非電動役物１２の前記左誘導部材５０および右誘導部材５１に誘導されて遊技球が入賞すると、図１４に示される前記光表示態様割振手段８６の入賞検知スイッチ２２・検知順序「１」の項目が参照され前記ＬＥＤ９８ａにおいて光表示態様（ア）´´が報知される。また、前記第２種非電動役物１２は拡開状態から閉鎖状態へと変換されるとともに前記第２種非電動役物１５は閉鎖状態から拡開状態へと変換され、前記光表示態様割振手段８６の検知順序は「１」から「２」へと移行される。
【００８７】
上述したように前記左ゲート３０に遊技球が進入した後、前記第２種非電動役物１２の前記左誘導部材５０および右誘導部材５１に誘導されて遊技球が入賞すると、前記第２種非電動役物１３および１５は拡開状態にあり、前記光表示態様割振手段８６の検知順序は「２」である。以下においては、この状態を「状態２」として説明する。
【００８８】
「状態２」において前記第２種非電動役物１３の上入賞口より遊技球が入賞すると、本第２実施例のパチンコ遊技機は前記第２種非電動役物１３の上入賞口より入賞した遊技球を検知する入賞検知スイッチを備えていないため、当然として該入賞情報は前記光表示態様割振手段８６へ出力されないので前記ＬＥＤ９８ａないし９８ｊによって光表示態様は報知されない。
【００８９】
また「状態２」において、第２種非電動役物１３の前記左誘導部材および右誘導部材に誘導されて遊技球が入賞すると、図１４に示される前記光表示態様割振手段８６の入賞検知スイッチ２３・検知順序「２」の項目が参照され前記ＬＥＤ９８ａないし９８ｃにおいて光表示態様（ウ）´が報知される。また、前記第２種非電動役物１３は拡開状態から閉鎖状態へと変換されるとともに前記第２種非電動役物１５は拡開状態を維持し、前記光表示態様割振手段８６の検知順序は「２」から「３」へと移行される。
【００９０】
一方「状態２」において、第２種非電動役物１５の前記左誘導部材および右誘導部材に誘導されて遊技球が入賞すると、図１４に示される前記光表示態様割振手段８６の入賞検知スイッチ２５・検知順序「２」の項目が参照され前記ＬＥＤ９８ａないし９８ｂにおいて光表示態様（イ）が報知される。また、前記第２種非電動役物１５は拡開状態から閉鎖状態へと変換されるとともに、前記光表示態様割振手段８６の検知順序は「２」から「３」へと移行される。
【００９１】
すなわち、「状態２」において遊技者にとって有利な入賞となる前記第２種非電動役物１５の前記左誘導部材および右誘導部材に誘導されて遊技球が入賞すると、光表示態様（イ）が報知され「状態１」において報知された光表示態様（ア）´´と連続性を有した光表示態様として遊技者に報知される。一方、「状態２」において遊技者にとって不利な入賞となる前記第２種非電動役物１３の前記左誘導部材および右誘導部材に誘導されて遊技球が入賞すると、光表示態様（ウ）´が報知され「状態１」において報知された光表示態様（ア）´´と連続性の無い光表示態様として遊技者に報知される。
【００９２】
なお一例として、光表示態様（ア）ないし光表示態様（ケ）で報知される光表示情報は、光表示態様（ア）については前記ＬＥＤ９８ａを１ｓ間点灯させた後消灯させるもの、光表示態様（イ）については前記ＬＥＤ９８ａを点灯させた０．１ｓ後に前記ＬＥＤ９８ｂを点灯させ、前記ＬＥＤ９８ｂが１ｓ間点灯した後に前記ＬＥＤ９８ａおよび９８ｂを消灯させるもの、光表示態様（ウ）については前記ＬＥＤ９８ａを点灯させた０．１ｓ後に前記ＬＥＤ９８ｂを点灯させるとともに、前記ＬＥＤ９８ｂを点灯させた０．１ｓ後に前記ＬＥＤ９８ｃを点灯させ、前記ＬＥＤ９８ｃが１ｓ点灯した後に前記ＬＥＤ９８ａ、９８ｂおよび９８ｃを消灯させるものとする。
【００９３】
光表示態様（エ）ないし光表示態様（ケ）については、上記した光表示態様（ア）ないし光表示態様（ウ）と同様に、前記ＬＥＤ９８ａないし９８ｉを点灯と消灯させることにより逐次報知するものとする。
【００９４】
つまり、光表示態様（ケ）については前記ＬＥＤ９８ａを点灯させた０．１ｓ後に前記ＬＥＤ９８ｂを点灯させ、前記ＬＥＤ９８ｂを点灯させた０．１ｓ後に前記ＬＥＤ９８ｃを点灯させ、前記ＬＥＤ９８ｃを点灯させた０．１ｓ後に前記ＬＥＤ９８ｄを点灯させ、前記ＬＥＤ９８ｄを点灯させた０．１ｓ後に前記ＬＥＤ９８ｅを点灯させ、前記ＬＥＤ９８ｅを点灯させた０．１ｓ後に前記ＬＥＤ９８ｆを点灯させ、前記ＬＥＤ９８ｆを点灯させた０．１ｓ後に前記ＬＥＤ９８ｇを点灯させ、前記ＬＥＤ９８ｇを点灯させた０．１ｓ後に前記ＬＥＤ９８ｈを点灯させ、前記ＬＥＤ９８ｈを点灯させた０．１ｓ後に前記ＬＥＤ９８ｉを点灯させるとともに、前記ＬＥＤ９８ｉが１ｓ点灯した後に前記ＬＥＤ９８ａないし９８ｉを消灯させるものである。
【００９５】
また、光表示態様（ア）´ないし光表示態様（ケ）´については、光表示態様（ア）ないし光表示態様（ケ）において最後に点灯したＬＥＤが１．１ｓ間点灯した後に点灯したすべてのＬＥＤが消灯するものとする。また、光表示態様（ア）´´ないし光表示態様（ケ）´´については、光表示態様（ア）ないし光表示態様（ケ）において最後に点灯したＬＥＤが１．２ｓ間点灯した後に点灯したすべてのＬＥＤが消灯するものとする。つまり、光表示態様に付帯する「´」または「´´」は、光表示態様の報知時間にわずかな変化を加えるものではあるが、光表示態様の基本に変更を加えるものでは無く光表示の発生態様の連続性に大きな影響を与えるものではないのである。
【００９６】
すなわち、図１４に示される前記光表示態様割振手段８６における光表示態様については「光表示態様（ア）´→光表示態様（イ）→光表示態様（ウ）´´→…」のように「´」または「´´」を考慮せず五十音順に光表示態様が報知された場合には連続性を有して違和感のない光表示態様を形成して、「光表示態様（ア）´´→光表示態様（ウ）→光表示態様（ウ）´→…」のように「´」または「´´」を考慮せず五十音順に光表示態様が報知されない場合には連続性の無いちぐはぐな順序の光表示の発生態様として遊技者に報知されるものである。
【００９７】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞すると、前記第２種非電動役物１３は拡開状態にあり、前記光表示態様割振手段８６の検知順序は「３」である。以下においては、この状態を「状態３」として説明する。
【００９８】
「状態３」において第２種非電動役物１３の前記左誘導部材および右誘導部材に誘導されて遊技球が入賞すると、図１４に示される前記光表示態様割振手段８６の入賞検知スイッチ２３・検知順序「３」の項目が参照され前記ＬＥＤ９８ａないし９８ｃにおいて光表示態様（ウ）´が報知される。また、前記第２種非電動役物１３は拡開状態から閉鎖状態へと変換されるとともに前記第２種非電動役物１５は閉鎖状態から拡開状態へと変換され、前記光表示態様割振手段８６の検知順序は「３」から「４」へと移行される。
【００９９】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞して、さらに前記第２種非電動役物１３の前記左誘導部材および右誘導部材に誘導されて遊技球が入賞すると、前記第２種非電動役物１５は拡開状態にあり、前記光表示態様割振手段８６の検知順序は「４」である。以下においては、この状態を「状態４」として説明する。
【０１００】
「状態４」において第２種非電動役物１５の前記左誘導部材および右誘導部材に誘導されて遊技球が入賞すると、図１４に示される前記光表示態様割振手段８６の入賞検知スイッチ２５・検知順序「４」の項目が参照され前記ＬＥＤ９８ａないし９８ｄにおいて光表示態様（エ）が報知される。また、前記第２種非電動役物１５は拡開状態から閉鎖状態へと変換され、前記光表示態様割振手段８６の検知順序は「４」から「５」へと移行される。
【０１０１】
ここで前記第２種非電動役物１４の上入賞口より遊技球が入賞すると、前記第２種非電動役物１４は閉鎖状態から拡開状態へと変換される。なお、前記光表示態様割振手段８６の検知順序は「５」を維持する。以下においては、この状態を「状態５」として説明する。
【０１０２】
次に「状態５」において、第２種非電動役物１４の前記左誘導部材および右誘導部材に誘導されて遊技球が入賞すると、図１４に示される前記光表示態様割振手段８６の入賞検知スイッチ２４・検知順序「５」の項目が参照され前記ＬＥＤ９８ａないし９８ｅにおいて光表示態様（オ）が報知される。また、前記第２種非電動役物１４は拡開状態から閉鎖状態へと変換されるとともに前記第２種非電動役物１５は閉鎖状態から拡開状態へと変換され、前記光表示態様割振手段８６の検知順序は「５」から「６」へと移行される。以下においては、この状態を「状態６」として説明する。
【０１０３】
「状態６」において第２種非電動役物１５の前記左誘導部材および右誘導部材に誘導されて遊技球が入賞すると、図１４に示される前記光表示態様割振手段８６の入賞検知スイッチ２５・検知順序「６」の項目が参照され前記ＬＥＤ９８ａないし９８ｆにおいて光表示態様（カ）が報知される。また、前記第２種非電動役物１５は拡開状態から閉鎖状態へと変換され、前記光表示態様割振手段８６の検知順序は「６」から「７」へと移行される。以下においては、この状態を「状態７」として説明する。
【０１０４】
このように前記左ゲート３０、中ゲート３１または右ゲート３２に遊技球が進入した後の、前記第２種非電動役物１２ないし１５への入賞の一連の流れにおいて、前記第２種非電動役物１２ないし１４のいずれかの上入賞口より遊技球が入賞すると、該上入賞口より入賞した第２種非電動役物１２ないし１４のいずれかへの前記左誘導部材および右誘導部材に誘導されての入賞と、これに伴う第２種非電動役物１５の前記左誘導部材および右誘導部材に誘導されての入賞の２回分の入賞権利が発生し、結果として前記光表示態様割振手段８６における検知順序も２回移行することになる。
【０１０５】
このため、前記光表示態様割振手段８６による光表示態様の割振については、前記第２種非電動役物１２ないし１４のいずれかの上入賞口より遊技球が入賞するたびに連続性を持った光表示態様が２つ追加されることが望ましいが、本第１実施例のパチンコ遊技機においては、前記光表示態様割振手段８６の入賞順序が「１０」以上の場合に前記第２種非電動役物１２ないし１５への前記左誘導部材および右誘導部材に誘導されて遊技球が入賞した場合の光表示態様は一律光表示態様（コ）に統一されている。なお、本第２実施例における光表示態様（コ）については前記ＬＥＤ９８ｊを２ｓ間点滅させるものである。
【０１０６】
次に、「状態７」において、前記左ゲート３０、中ゲート３１または右ゲート３２に遊技球が進入すると、前記光表示態様割振手段８６の検知順序が「７」から「１」へとリセットされる。
【０１０７】
以下、上記構成より成る本第２実施例のパチンコ遊技機の作用・効果について説明する。
【０１０８】
上記作用を奏する第２実施例のパチンコ遊技機は、前記入賞検知スイッチ２０ないし２７が入賞装置への入賞を検知するとともに入賞情報を出力して、前記入賞検知スイッチ２０ないし２７の検知出力に基づき前記光表示態様割振手段８６において、入賞順序の適否に応じて設定された順序の光表示態様を選択するとともに前記ＬＥＤ９８ａないし９８ｊによって報知するので、遊技者が報知された光表示態様により前記入賞装置への入賞順序の適否を知ることができるという効果を奏する。
【０１０９】
上記作用を奏する第２実施例のパチンコ遊技機は、前記ゲート進入検知スイッチ２８において遊技球の進入を検知した時に、前記ＬＥＤ９８ａないし９８ｊによって報知される光表示態様を決定する前記光表示態様割振手段８６の検知順序をリセットするので、前記ゲート進入検知スイッチ２８における遊技球の検知を契機として報知する光表示態様の順序を変更することにより、遊技者に興趣のある遊技を提供できるという効果を奏する。
【０１１０】
上記作用を奏する第２実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される光表示態様の順序の基準を明確にするという効果を奏する。
【０１１１】
上記作用を奏する第２実施例のパチンコ遊技機は、前記第２種非電動役物１２ないし１５への入賞により獲得する賞球数が遊技者にとって有利となる順序で入賞した場合には、前記光表示態様割振手段８６により入賞順序の適否に応じて設定された順序の光表示態様が互いに関連して違和感のない光表示態様の連続を形成するので、遊技者は報知された該光表示態様によって前記第２種非電動役物１２ないし１５への入賞した順序が遊技者にとって有利となる入賞順序であったかどうかを知ることができるという効果を奏する。
【０１１２】
上記作用を奏する第２実施例のパチンコ遊技機は、報知された該光表示態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【０１１３】
本第２実施例のパチンコ遊技機は、前記第２種非電動役物１２ないし１５への入賞順序の適否に基づき点灯する光表示部８の数およびまたは位置が異なる複数の光表示態様によって報知するので、遊技者が報知された光表示態様により興趣をもって前記第２種非電動役物１２ないし１５への入賞順序の適否を知ることができるという効果を奏する。
【実施例３】
【０１１４】
本第３実施例のパチンコ遊技機は前記第１発明、第２発明ないし第４発明、第９発明、第１０発明および第１３発明の実施例であり、図１６に示されるように、光表示態様割振手段８６２において検知順序に応じた光表示態様の割振パターンを３種類備え、光表示態様割振手段８６２における検知順序「１」において入賞した前記第２種非電動役物１２ないし１４のいずれかに応じて３種類の割振パターンを決定して、光表示態様割振手段８６２における検知順序「２」以降の報知する光表示態様を選択する構成とすることにより、前記第２種非電動役物１２ないし１４のいずれかを狙い打ちすることにより、遊技者の所望する光表示態様を選択可能として、遊技者の遊技への参加感または興趣を向上させたことが上述の第１実施例および第２実施例との主な相違点であり、以下相違点を中心に説明する。
【０１１５】
また、本第３実施例のパチンコ遊技機は、前記３種類の割振パターンについて、  前記第２種非電動役物１２ないし１５への入賞順序の適否に基づき光表示部８の点灯図柄、点灯する数およびまたは位置または点滅周期が異なる複数の光表示態様によって報知する点が特徴である。
【０１１６】
第３実施例のパチンコ遊技機は図１３に示されるように、前記入賞検知スイッチ２０ないし２７より出力された入賞情報および前記検知順序に基づいて前記ＬＥＤ９８ａないし９８ｊ、光表示部８としてのドット表示部１０１またはＬＥＤ１０２によって報知する光表示態様を選択する光表示態様割振手段８６２を備えている。なお、本第３実施例のパチンコ遊技機は図２に示されるように、前記遊技盤１００の前面右方に桃の容に成形された光表示部８としての透光性装飾部材１０３が配設されており、前記遊技盤１００の後方に配設された前記ＬＥＤ１０２において報知する光表示態様を連絡して効果的な報知演出を実現する構成を備えている。
【０１１７】
以下において、本第３実施例における前記報知手段９を構成する前記ＬＥＤ９８ａないし９８ｊ、ドット表示部１０１またはＬＥＤ１０２によって報知される光表示態様の決定制御を説明する。
【０１１８】
本第３実施例のパチンコ遊技機は、図１６に示されるように前記光表示態様割振手段８６２が、前記第１種非電動役物１０および１１に対しては、上述した第２実施例のパチンコ遊技機における前記光表示態様割振手段８６と同様に光表示態様（サ）が選択されるとともに、前記入賞口１６および１７に対しても、上述した第２実施例のパチンコ遊技機における前記光表示態様割振手段８６と同様に光表示態様（タ）が選択される。
【０１１９】
一方、前記光表示態様割振手段８６２は、前記第２種非電動役物１２ないし１５に対しての光表示態様割振パターンを３種類備えている。前記光表示態様割振手段８６２の検知順序「１」に対しては図１６（ａ）に示されるように入賞検知スイッチ２２、２３および２４に対して光表示態様（ア）、光表示態様（Ａ）および光表示態様（１）が設定されている。
【０１２０】
ここで、上述した「状態１」において前記第２種非電動役物１２の前記左誘導部材５０および右誘導部材５１に誘導されて遊技球が入賞すると、図１６（ａ）に示される前記光表示態様割振手段８６２の入賞検知スイッチ２２・検知順序「１」の項目が参照され前記ＬＥＤ９８ａにおいて光表示態様（ア）が報知される。また、前記第２種非電動役物１２は拡開状態から閉鎖状態へと変換されるとともに前記第２種非電動役物１５は閉鎖状態から拡開状態へと変換され、前記光表示態様割振手段８６２の検知順序は「１」から「２」へと移行されるとともに、図１６（ｂ）に示されるように光表示態様（ア）に対して連続性を有する光表示態様（イ）ないし光表示態様（コ）によって構成される光表示態様割振パターンが決定される。
【０１２１】
一方、上述した「状態１」において前記第２種非電動役物１３の前記左誘導部材および右誘導部材に誘導されて遊技球が入賞すると、図１６（ａ）に示される前記光表示態様割振手段８６２の入賞検知スイッチ２３・検知順序「１」の項目が参照され前記ドット表示部１０１において光表示態様（Ａ）が報知される。また、前記第２種非電動役物１３は拡開状態から閉鎖状態へと変換されるとともに前記第２種非電動役物１５は閉鎖状態から拡開状態へと変換され、前記光表示態様割振手段８６２の検知順序は「１」から「２」へと移行されるとともに、図１６（ｃ）に示されるように光表示態様（Ａ）に対して連続性を有する光表示態様（Ｂ）ないし光表示態様（Ｊ）によって構成される光表示態様割振パターンが決定される。
【０１２２】
前記光表示態様割振手段８６２における検知順序「２」以降についての光表示態様の決定制御については上述の第２実施例と同様に逐次選択されるものである。なお、図１６（ｄ）に示される光表示態様（２）ないし光表示態様（１０）によって構成される割振パターンについては、前記中ゲート３１および右ゲート３２に遊技球が進入した場合に拡開状態となる前記第２種非電動役物１４に対して、前記光表示態様割振手段８６２の検知順序が「１」である時に、該第２種非電動役物１４の左誘導部材および右誘導部材に誘導されて遊技球が入賞した場合に決定されるものである。
【０１２３】
上記構成より成る本第３実施例のパチンコ遊技機においては前記光表示態様割振手段８６２によって選択される光表示態様を一例として、光表示態様（ア）ないし光表示態様（コ）で報知される光情報を、光表示態様（ア）ないし光表示態様（コ）と前記ＬＥＤ９８ａからＬＥＤ９８ｊを対応させて各々点灯させるものとする。なお、点灯した各ＬＥＤ９８ａないし９８ｊは、次に前記左ゲート３０、中ゲート３１または右ゲート３２に遊技球が進入すると消灯する。
【０１２４】
次に、光表示態様（Ａ）ないし光表示態様（Ｊ）で報知される光情報については、図１７に示されるように昔話「桃太郎」において表現される１０つの場面を光表示態様（Ａ）から光表示態様（Ｊ）に対して時系列の順に並べたものとして前記ドット表示部１０１によって報知するものである。
【０１２５】
また、光表示態様（１）ないし光表示態様（１０）で報知される光情報については、前記ＬＥＤ１０２において点滅周期の長いものから短いものを１０段階備えるとともに光表示態様（１）から光表示態様（１０）に対して順に並べたものとする。
【０１２６】
以下、上記構成および作用の本第３実施例のパチンコ遊技機の効果について説明する。
【０１２７】
上記作用を奏する第３実施例のパチンコ遊技機は、前記光表示態様割振手段８６２が前記第２種非電動役物１２ないし１５に対しての光表示態様割振パターンを３種類備えていることにより、遊技状況に応じて多彩な光表示態様を報知することが可能であるので遊技者に対して興趣のある遊技を提供できるという効果を奏する。
【０１２８】
また、本第３実施例のパチンコ遊技機は、前記光表示態様割振手段８６２の検知順序が「１」である時において入賞した前記第２種非電動役物１２ないし１４のいずれかに応じて３種類の割振パターンを決定するため、遊技者は上述した３種類の割振パターンの所望する光表示態様を決定する第２種非電動役物１２ないし１４のいずれかを狙い打ちすることが可能であり、遊技者に対して遊技への参加感を高めるとともに、遊技に対しての興趣を維持することができるという効果を奏する。
【０１２９】
上記作用を奏する第３実施例のパチンコ遊技機は、前記入賞検知スイッチ２０ないし２７が入賞装置への入賞を検知するとともに入賞情報を出力して、前記入賞検知スイッチ２０ないし２７の検知出力に基づき前記光表示態様割振手段８６２において、入賞順序の適否に応じて設定された順序の光表示態様を選択するとともに前記ＬＥＤ９８ａないし９８ｊ、ドット表示部１０１またはＬＥＤ１０２によって報知するので、遊技者が報知された光表示態様の順序により前記入賞装置への入賞順序の適否を知ることができるという効果を奏する。
【０１３０】
上記作用を奏する第３実施例のパチンコ遊技機は、前記ゲート進入検知スイッチ２８において遊技球の進入を検知した時に、前記ＬＥＤ９８ａないし９８ｊ、ドット表示部１０１またはＬＥＤ１０２によって報知される光表示態様を決定する前記光表示態様割振手段８６２の検知順序をリセットするので、前記ゲート進入検知スイッチ２８における遊技球の検知を契機として報知する光表示態様の順序を変更するため、遊技者に興趣のある遊技を提供できるという効果を奏する。
【０１３１】
上記作用を奏する第３実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される光表示態様の順序の基準を明確にするという効果を奏する。
【０１３２】
上記作用を奏する第３実施例のパチンコ遊技機は、前記第２種非電動役物１２ないし１５への入賞により獲得する賞球数が遊技者にとって有利となる順序で入賞した場合には、前記光表示態様割振手段８６２により入賞順序の適否に応じて設定された順序の光表示態様が互いに関連して違和感のない光表示態様を形成するので、遊技者は報知された該光表示態様によって前記第２種非電動役物１２ないし１５への入賞した順序が遊技者にとって有利となる入賞順序であったかどうかを知ることができるという効果を奏する。
【０１３３】
上記作用を奏する第３実施例のパチンコ遊技機は、報知された該光表示態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にするので、遊技者が遊技を行いながら興趣を持って遊技方法を習得することができるという効果を奏する。
【０１３４】
本第３実施例のパチンコ遊技機は、前記第２種非電動役物１２ないし１５への入賞順序の適否に基づき、ドット表示による点灯図柄が異なる複数の光表示態様、ＬＥＤ９８ａないし９８ｊの点灯する数および位置が異なる複数の光表示態様またはＬＥＤ１０２の点滅周期が異なる複数の光表示態様によって報知するので、遊技者が報知された光表示態様により興趣をもって前記第２種非電動役物１２ないし１５への入賞順序の適否を知ることができるという効果を奏する。
【実施例４】
【０１３５】
本第４実施例のパチンコ遊技機は、前記第１発明ないし第４発明、第９発明、第１０発明および第１３発明の実施例であり、図１８に示されるように前記入賞検知スイッチ２５および２９より出力された入賞情報および検知順序に基づいて前記ＬＥＤ９８ａないし９８ｊ、ドット表示部１０１またはＬＥＤ１０２の点灯図柄、点灯する数および位置または点滅周期が異なる光表示態様を選択する光表示態様割振手段８６３を備えたことを特徴とする。なお前記光表示態様割振手段８６３は、図１９に示されるように遊技者にとって有利となる順序で遊技球が第２種非電動役物１２ないし１５の前記左誘導部材および右誘導部材に誘導されて入賞した場合に、選択される光表示態様が互いに関連して違和感のない光表示態様を形成するように構成されているものであり、以下より相違点を中心に説明する。
【０１３６】
さらに、本第４実施例のパチンコ遊技機は、上述の第１実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設することにより、パチンコ遊技機製造に必要となる前記入賞検知スイッチの数を減らしたものである。
【０１３７】
また、本第４実施例のパチンコ遊技機は図１９（ａ）ないし（ｃ）に示されるように、光表示態様割振手段８６３において検知順序に応じた光表示態様の割振パターンを３種類備え、遊技球が前記左ゲート３０、中ゲート３１または右ゲート３２のいずれに進入したかに応じて３種類の割振パターンを決定して、光表示態様割振手段８６３における検知順序「１」以降の報知する光表示態様を選択する構成とすることにより、前記左ゲート３０、中ゲート３１または右ゲート３２のいずれかを狙い打ちすることにより、遊技者の所望する光表示態様を選択可能として、遊技者の遊技への参加感または興趣を向上させたことが上述の第１実施例ないし第３実施例との主な相違点である。
【０１３８】
第４実施例のパチンコ遊技機は、図１ないし図１０、図１８および図１９に示されるように前記第２種非電動役物１２ないし１４の入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報に基づいて設定された順序で光表示態様を出力する報知手段としてのＬＥＤ９８ａないし９８ｊ、ドット表示部１０１またはＬＥＤ１０２と、前記入賞検知スイッチ２５および２９より出力された入賞情報および検知順序に基づいて前記ＬＥＤ９８ａないし９８ｊ、ドット表示部１０１またはＬＥＤ１０２によって報知する光表示態様を選択する光表示態様割振手段８６３と、遊技球の進入によって前記光表示態様割振手段８６３における検知順序をリセットするとともに、前記光表示態様割振手段８６３における光表示態様の割振パターンを決定する左ゲート３０、中ゲート３１および右ゲート３２と、該左ゲート３０への遊技球の進入を検知するゲート進入スイッチ２８ａ、該中ゲート３１への遊技球の進入を検知するゲート進入スイッチ２８ｂおよび該右ゲート３２への遊技球の進入を検知するゲート進入スイッチ２８ｃを備えている。
【０１３９】
以下において、本第４実施例における前記ＬＥＤ９８ａないし９８ｊ、ドット表示部１０１またはＬＥＤ１０２によって報知される光表示態様の決定制御について説明する。
【０１４０】
本第４実施例のパチンコ遊技機における前記第１種非電動役物１０および１１への遊技球の入賞に関しては、前記光表示態様割振手段８６３へと該入賞情報を出力する入賞検知スイッチを備えていないため、当然として前記ＬＥＤ９８ａないし９８ｊ、ドット表示部１０１またはＬＥＤ１０２によって光表示態様は報知されない。同様に、前記入賞口１６および１７に関しても、前記光表示態様割振手段８６３へと該入賞情報を出力する入賞検知スイッチを備えていないため、当然として前記ＬＥＤ９８ａないし９８ｊ、ドット表示部１０１またはＬＥＤ１０２によって光表示態様は報知されない。  
【０１４１】
前記光表示態様割振手段８６３は前記第２種非電動役物１２ないし１５の前記左誘導部材および右誘導部材の誘導による遊技球の入賞に対しての光表示態様割振パターンを３種類備えている。なお、遊技球が前記左ゲート３０に進入して、前記ゲート進入スイッチ２８ａにおいて検知出力が出された場合には図１９（ａ）に示されるように光表示態様（ア）ないし光表示態様（コ）によって構成される光表示態様割振パターンが決定され、遊技球が前記中ゲート３１に進入して、前記ゲート進入スイッチ２８ｂにおいて検知出力が出された場合には図１９（ｂ）に示されるように光表示態様（Ａ）ないし光表示態様（Ｊ）によって構成される光表示態様割振パターンが決定され、遊技球が前記右ゲート３２に進入して、前記ゲート進入スイッチ２８ｃにおいて検知出力が出された場合には図１９（ｃ）に示されるように光表示態様（１）ないし光表示態様（１０）によって構成される光表示態様割振パターンが決定される。
【０１４２】
上記構成より成る本第４実施例のパチンコ遊技機においては前記光表示態様割振手段８６３によって選択される光表示態様（ア）ないし光表示態様（コ）、光表示態様（Ａ）ないし光表示態様（Ｊ）または光表示態様（１）ないし光表示態様（１０）については上述した第３実施例で説明した光表示態様と同様とする。
【０１４３】
ここで、上述した「状態１」において前記第２種非電動役物１２の前記左誘導部材５０および右誘導部材５１に誘導されて遊技球が入賞すると、図１９（ａ）に示される前記光表示態様割振手段８６３の入賞検知スイッチ２９・検知順序「１」の項目が参照され前記ＬＥＤ９８ａにおいて光表示態様（ア）が報知される。また、前記第２種非電動役物１２は拡開状態から閉鎖状態へと変換されるとともに前記第２種非電動役物１５は閉鎖状態から拡開状態へと変換され、前記光表示態様割振手段８６３の検知順序は「１」から「２」へと移行される。
【０１４４】
一方、上述した「状態１」において前記第２種非電動役物１３の前記左誘導部材および右誘導部材に誘導されて遊技球が入賞すると、図１９（ａ）に示される前記光表示態様割振手段８６３の入賞検知スイッチ２９・検知順序「１」の項目が参照され前記ＬＥＤ９８ａにおいて光表示態様（ア）が報知される。また、前記第２種非電動役物１３は拡開状態から閉鎖状態へと変換されるとともに前記第２種非電動役物１５は閉鎖状態から拡開状態へと変換され、前記光表示態様割振手段８６３の検知順序は「１」から「２」へと移行される。
【０１４５】
すなわち、前記第２種非電動役物１２ないし１４の前記左誘導部材および右誘導部材に誘導されて入賞した遊技球を検知する入賞検知スイッチ２９が共通であることから、当然として「状態１」において前記第２種非電動役物１２の前記左誘導部材５０および右誘導部材５１に誘導されて遊技球が入賞するのか、前記第２種非電動役物１３の前記左誘導部材および右誘導部材に誘導されて遊技球が入賞するのかに対して、前記光表示態様割振手段８６３において選択される光表示態様は同一であるとともにその後の遊技状況に変わりはない。
【０１４６】
つまり、本第４実施例のパチンコ遊技機はパチンコ遊技機製造に必要となる前記入賞検知スイッチの数を減らすとともに、遊技者にとって有利となる前記第２種非電動役物１２ないし１５への入賞順序を遊技者が、遊技を通じて学習することを可能にするという作用を実現するものである。
【０１４７】
なお、前記光表示態様割振手段８６３における検知順序「２」以降についての光表示態様の決定制御については第２実施例および第３実施例と同様に逐次選択されるものである。
【０１４８】
以下、上記構成および作用の本第４実施例のパチンコ遊技機の効果について説明する。
【０１４９】
上記作用を奏する本第４実施例のパチンコ遊技機は、前記光表示態様割振手段８６３が前記第２種非電動役物１２ないし１５に対しての光表示態様割振パターンを３種類備えていることにより、遊技状況に応じて多彩な光表示態様を報知することが可能であるので遊技者に対して興趣のある遊技を提供できるという効果を奏する。
【０１５０】
また、上記作用を奏する本第４実施例のパチンコ遊技機は、遊技球が前記左ゲート３０、中ゲート３１または右ゲート３２のいずれかに進入するかに応じて前記光表示態様割振手段８６３の３種類の割振パターンを決定するため、遊技者は上述した３種類の割振パターンの所望する光表示態様を決定する前記左ゲート３０、中ゲート３１または右ゲート３２のいずれかを狙い打ちすることが可能であり、遊技者に対して遊技への参加感を高めるとともに遊技に対しての興趣を維持することができるという効果を奏する。
【０１５１】
本第４実施例のパチンコ遊技機は、前記入賞検知スイッチが入賞装置への入賞を検知するとともに入賞情報を出力して、前記入賞検知スイッチの検知出力に基づき前記光表示態様割振手段８６３において、検知順序に応じて設定された順序の光表示態様を選択するとともに前記ＬＥＤ９８ａないし９８ｊ、ドット表示部１０１またはＬＥＤ１０２によって報知するので、遊技者が報知された光表示態様の順序により前記入賞装置への入賞順序の適否を知ることができるという効果を奏する。
【０１５２】
本第４実施例のパチンコ遊技機は、前記ゲート進入検知スイッチ２８において遊技球の進入を検知した時に、前記ＬＥＤ９８ａないし９８ｊ、ドット表示部１０１またはＬＥＤ１０２によって報知される光表示態様を決定する前記光表示態様割振手段８６３の検知順序をリセットするとともに、報知する光表示態様の割振パターンを決定するので、前記ゲート進入検知スイッチ２８における遊技球の検知を契機として報知する光表示態様の種類またはおよび順序を変更することにより、遊技者に興趣のある遊技を提供できるという効果を奏する。
【０１５３】
本第４実施例のパチンコ遊技機は、前記左ゲート３０、中ゲート３１および前記右ゲート３２への遊技球の進入によって、前記ゲート進入検知スイッチ２８ａないし２８ｃにおいて検知出力が出されるので、前記報知手段において報知される光表示態様の順序の基準を明確にするという効果を奏する。
【０１５４】
本第４実施例のパチンコ遊技機は、前記第２種非電動役物１２ないし１５への入賞により獲得する賞球数が遊技者にとって有利となる順序で入賞した場合には、前記光表示態様割振手段８６３により検知順序に応じて設定された順序の光表示態様が互いに関連して違和感のない光表示態様を形成するので、遊技者は報知された該光表示態様によって前記第２種非電動役物１２ないし１５への入賞した順序が遊技者にとって有利となる入賞順序であったかどうかを知ることができるという効果を奏する。
【０１５５】
本第４実施例のパチンコ遊技機は、報知された該光表示態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１５６】
本第４実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【０１５７】
本第４実施例のパチンコ遊技機は、前記第２種非電動役物１２ないし１５への入賞順序の適否に基づき、ドット表示による点灯図柄が異なる複数の光表示態様、ＬＥＤ９８ａないし９８ｊの点灯する数および位置が異なる複数の光表示態様またはＬＥＤ１０２の点滅周期が異なる複数の光表示態様によって報知するので、遊技者が報知された光表示態様により興趣をもって前記第２種非電動役物１２ないし１５への入賞順序の適否を知ることができるという効果を奏する。
【実施例５】
【０１５８】
本第５実施例のパチンコ遊技機は前記第６発明および第１１発明の実施例であり、前記第２種非電動役物１２ないし１５の前記左誘導部材および右誘導部材に誘導されて入賞する毎に、前記入賞検知スイッチ２９および２５による検知出力と前記入賞検知スイッチ２９および２５により検知された前回の検知出力とを比較する入賞情報比較手段９１を備え、該入賞情報比較手段の比較結果に基づいて、前回の入賞に対する今回の入賞の順序が遊技者にとって有利な順序かどうかを判定し、判定結果に応じてＬＥＤ９８ｇないし９８ｉにおいて異なった色で点灯する光表示態様によって報知するように構成した点が、上述の第１実施例ないし第４実施例との主な相違点であり、以下相違点を中心に説明する。なお、本第５実施例のパチンコ遊技機に備えた前記ＬＥＤ９８ｇないし９８ｉは緑色、青色および赤色を発光するＬＥＤを夫々備えている。
【０１５９】
本第５実施例のパチンコ遊技機は、上述の第１実施例、第３実施例および第４実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設することにより、パチンコ遊技機製造に必要となる前記入賞検知スイッチの数を減らしたものである。
【０１６０】
第５実施例のパチンコ遊技機は、図２０に示されるように、前記第２種非電動役物１２ないし１４への入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報と、該入賞検知スイッチ２５および２９により出力された前回の入賞情報とを比較して前記ＬＥＤ９８ｇないし９８ｉの点灯する色を変化させた光表示態様を選択する入賞情報比較手段９１と、遊技球の進入によって前記第２種非電動役物１２ないし１５の一部を拡開状態へと変換する左ゲート３０、中ゲート３１および右ゲート３２を備えている。
【０１６１】
以下において、本第５実施例における前記ＬＥＤ９８ｇないし９８ｉによって報知される光表示態様の順序の決定制御を説明する。
【０１６２】
本第５実施例のパチンコ遊技機において前記入賞口１６および１７への入賞が前記入賞検知スイッチ２６および２７において検知されると、前記入賞口１６および１７への入賞に関しては入賞する順序が遊技者にとって有利であるかどうかに関与しないため前記入賞情報比較手段９１において入賞情報は比較せず、前記ＬＥＤ９８ｇないし９８ｉによって光表示態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため前記入賞情報比較手段９１において入賞情報は比較せず、前記ＬＥＤ９８ｇないし９８ｉによって光表示態様（ア）を報知する。なお、光表示態様（ア）については、前記ＬＥＤ９８ｇないし９８ｉにおいて緑色を発光するＬＥＤによって報知するものとする。  
【０１６３】
ここで、上述した「状態１」において前記第２種非電動役物１２の前記左誘導部材５０および右誘導部材５１に誘導されて遊技球が入賞して、前記入賞検知スイッチ２９において入賞が検知されると、前記入賞情報比較手段９１において比較対象となる前回の入賞情報は存在しない。なお、前記入賞情報比較手段９１においては比較対象となる前回の入賞情報が存在しない場合には今回の入賞情報は遊技者にとって有利であったと判断されるので、前記ＬＥＤ９８ｇないし９８ｉにおいて光表示態様（カ）が報知される。また、前記第２種非電動役物１２は拡開状態から閉鎖状態へと変換されるとともに前記第２種非電動役物１５は閉鎖状態から拡開状態へと変換され、前記入賞検知スイッチ２９において取得された入賞情報が前記ＲＡＭ８３において一時的に記憶される。なお、光表示態様（カ）については、前記ＬＥＤ９８ｇないし９８ｉにおいて青色で発光するＬＥＤによって報知するものとする。  
【０１６４】
次に上述した「状態２」において、前記第２種非電動役物１５の前記左誘導部材および右誘導部材に誘導されて遊技球が入賞して、前記入賞検知スイッチ２５において入賞が検知されると、前記入賞情報比較手段９１において前回取得された前記入賞検知スイッチ２９における入賞に対する今回取得された前記入賞検知スイッチ２５による入賞の順序が遊技者にとって有利となる順序かどうかを比較判定して、遊技者にとって有利となる順序であると判定されるため前記ＬＥＤ９８ｇないし９８ｉにおいて光表示態様（カ）が報知されるとともに、前記入賞検知スイッチ２５において取得された入賞情報が前記ＲＡＭ８３において一時的に記憶される。
【０１６５】
一方上述した「状態２」において、前記第２種非電動役物１３の前記左誘導部材および右誘導部材に誘導されて遊技球が入賞して、前記入賞検知スイッチ２９において入賞が検知されると、前記入賞情報比較手段９１において前回取得された前記入賞検知スイッチ２９における入賞に対する今回取得された前記入賞検知スイッチ２９による入賞の順序が遊技者にとって有利となる順序かどうかを比較判定して、遊技者にとって有利とならない順序であると判定されるため前記ＬＥＤ９８ｇないし９８ｉにおいて光表示態様（サ）が報知されるとともに、前記入賞検知スイッチ２９において取得された入賞情報が前記ＲＡＭ８３において一時的に記憶される。なお、光表示態様（サ）については、前記ＬＥＤ９８ｇないし９８ｉにおいて赤色で発光するＬＥＤによって報知するものとする。  
【０１６６】
上述したように、前記入賞情報比較手段９１において、今回取得した第２種非電動役物への入賞が前回取得した第２種非電動役物への入賞に対して遊技者にとって有利となる順序と判断された場合においては、前記ＬＥＤ９８ｇないし９８ｉによって光表示態様（カ）を報知する。また、前記入賞情報比較手段９１において、今回取得した第２種非電動役物への入賞情報が前回取得した第２種非電動役物への入賞情報と比較して遊技者にとって有利とならない順序と判断される場合においては、前記ＬＥＤ９８ｇないし９８ｉによって光表示態様（サ）を報知する。
【０１６７】
本第５実施例における前記入賞検知スイッチ２０、２１、２５ないし２７および２９における入賞検知から前記入賞情報比較手段９１における比較判定に基づいて報知する光表示態様を選択する流れを図２１に示されるフローチャートを用いて説明する。
【０１６８】
遊技球が発射され遊技が開始され、最初にステップ１０１において、前記第１種非電動役物１０または１１に遊技球が入賞すると、前記入賞検知スイッチ２０または２１において該入賞情報が出力される。ここで、前記第１種非電動役物１０または１１への入賞に関しては前記入賞情報比較手段９１において入賞情報の比較は行なわれず、ステップ１０２において、前記ＬＥＤ９８ｇないし９８ｉによって光表示態様（ア）が報知される。
【０１６９】
次にステップ１０３において、前記入賞口１６または１７に遊技球が入賞すると、前記入賞検知スイッチ２６または２７において該入賞情報が出力される。ここで、前記入賞口１６または１７への入賞に関しては前記入賞情報比較手段９１において入賞情報の比較は行なわれず、ステップ１０４において、前記ＬＥＤ９８ｇないし９８ｉによって光表示態様（ア）が報知される。
【０１７０】
次にステップ１０５において、前記第２種非電動役物１２ないし１５に遊技球が入賞すると、前記入賞検知スイッチ２９または２５において該入賞情報が出力される。ここでステップ１０６において、前記入賞情報比較手段９１において前記ＲＡＭ８３に一時的に記憶された前回の入賞情報と、前記入賞検知スイッチ２２ないし２５によって今回取得された今回の入賞情報とが比較され、前回の入賞に対する今回の入賞の順序が遊技者にとって有利であったかどうかが判定される。
【０１７１】
なおステップ１０７において、前記入賞情報比較手段９１における比較結果が遊技者にとって有利であったかどうか判断され、前記入賞情報比較手段９１における比較結果が遊技者にとって有利であった場合にはステップ１０８において、前記ＬＥＤ９８ｇないし９８ｉによって光表示態様（カ）が報知されるとともに、ステップ１０９において、前記入賞検知スイッチ２９および２５によって取得された今回の入賞情報を前記ＲＡＭ８３において一時的に記憶する。
【０１７２】
また、前記入賞情報比較手段９１における比較結果が遊技者にとって有利でなかった場合にはステップ１１０において、前記ＬＥＤ９８ｇないし９８ｉによって光表示態様（サ）が報知されるとともに、ステップ１１１において、前記入賞検知スイッチ２９または２５によって取得された今回の入賞情報を前記ＲＡＭ８３において一時的に記憶する。
【０１７３】
以下、上記構成および作用の本第５実施例のパチンコ遊技機の効果について説明する。
【０１７４】
上記作用を奏する第５実施例のパチンコ遊技機は、前記入賞検知スイッチ２９および２５が前記第２種非電動役物１２ないし１５への入賞を検知するとともに入賞情報を出力して、前記第２種非電動役物１２ないし１５に入賞する毎に、前記入賞情報比較手段９１によって前記入賞検知スイッチ２９および２５により検知された前回の入賞情報と前記入賞検知スイッチ２９および２５により検知された今回の入賞情報とを比較することにより、前回の入賞に対する今回の入賞の順序が遊技者にとって有利であるかどうかの前記入賞情報比較手段９１の比較結果に基づき前記ＬＥＤ９８ｇないし９８ｉによって、前回の入賞情報に対して今回の入賞情報が遊技者にとって有利かどうかで異なった光表示態様によって報知するので、遊技者が報知された光表示態様により前記入賞装置への入賞順序が遊技者にとって有利かどうかを知ることができるという効果を奏する。
【０１７５】
上記作用を奏する第５実施例のパチンコ遊技機は、報知された該光表示態様の順序によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１７６】
上記作用を奏する第５実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、特定の組み合わせにより組み合わせた複数の入賞装置に対して、必要となる入賞検知装置の数を削減することによりパチンコ遊技機の製造コストを低減することができるという効果を奏する。
【０１７７】
上記作用を奏する第５実施例のパチンコ遊技機は、前記ＲＡＭ８３において一時的に記憶される前記入賞検知スイッチ２９および２５において取得された入賞情報は最大で１つであるので、高価な前記ＲＡＭ８３において必要となるメモリ容量を低減することにより安価な部品によってパチンコ遊技機を製造することができるという効果を奏する。
【０１７８】
本第５実施例のパチンコ遊技機は、前記第２種非電動役物１２ないし１５への入賞順序の適否に基づき点灯するＬＥＤ１０２の点灯する色が異なる複数の光表示態様によって報知するので、遊技者が報知された光表示態様により興趣をもって前記第２種非電動役物１２ないし１５への入賞順序の適否を知ることができるという効果を奏する。
【実施例６】
【０１７９】
本第６実施例のパチンコ遊技機は、前記第７発明の実施例であり、前記第２種非電動役物１２ないし１５の開閉状態を検知する開閉状態検知手段９２を備え、前記第２種非電動役物１２ないし１５の前記左誘導部材および右誘導部材に誘導されて入賞する毎に、前記入賞検知スイッチ２２ないし２５による入賞検知出力と、入賞前の前記開閉状態検知手段９２による前記第２種非電動役物１２ないし１５の開閉状態の検知出力に基づいて入賞が有利かどうかを判定するための入賞判定テーブル９３に従って、遊技者にとって有利な入賞の順序かどうかを判定する判定手段９４における判定結果に基づいて有利かどうかで、ＬＥＤ１０２の点灯状態、点滅状態または消灯状態が異なった光表示態様によって報知するように構成した点が、上述の第１実施例ないし第５実施例との主な相違点であり、以下相違点を中心に説明する。すなわち、入賞前の前記第２種非電動役物１２ないし１５の開閉状態とどの入賞装置に入賞したのかによって、有利な入賞順序かどうかを判定する点に特徴がある。
【０１８０】
第６実施例のパチンコ遊技機は、図２２ないし図２４に示されるように前記第２種非電動役物１２ないし１５の開閉状態を検知する開閉状態検知手段９２と、前記第２種非電動役物１２ないし１５に入賞する毎に、前記入賞検知スイッチ２２ないし２５により検知された入賞情報および前記開閉状態検知手段９２における検知出力に基づいて構成される入賞判定テーブル９３に従って、前記第２種非電動役物１２ないし１５への入賞が遊技者にとって有利な入賞かどうかを判定する判定手段９４と、前記判定手段９４における判定結果に基づいて前記第２種非電動役物１２ないし１５への入賞が遊技者にとって有利かどうかで異なった光表示態様を出力する報知手段としてのＬＥＤ１０２と、遊技球の進入によって前記第２種非電動役物１２ないし１５の一部を拡開状態へと変換する左ゲート３０、中ゲート３１および右ゲート３２を備えている。
【０１８１】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【０１８２】
前記開閉状態検知装置１１２は、図２３（ａ）に示されるように、前記遊技盤１００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【０１８３】
なお、図２３（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【０１８４】
また、前記開閉状態検知装置１１３ないし１１５については前記開閉状態検知装置１１２と同様の構成であるため説明を省略する。
なお、前記開閉状態検知手段９２は、各開閉状態検知装置１１２ないし１１５の開閉状態のデータを一時的に保存する一時保存手段を備え、前記ＬＥＤ１０２による光表示態様の報知が行なわれると、前記開閉状態検知装置１１２ないし１１５によって検知された前記第２種非電動役物１２ないし１５の開閉状態の情報によって、前記一時保存手段のデータが上書きされるものである。
【０１８５】
前記入賞判定テーブル９３は、図２４に示されるように、前記第２種非電動役物１２の前記左誘導部材５０および右誘導部材５１に誘導されて遊技球が入賞した場合に参照されるテーブルＡと、前記第２種非電動役物１３の前記左誘導部材および右誘導部材に誘導されて遊技球が入賞した場合に参照されるテーブルＢと、前記第２種非電動役物１４の前記左誘導部材および右誘導部材に誘導されて遊技球が入賞した場合に参照されるテーブルＣと、前記第２種非電動役物１５の前記左誘導部材および右誘導部１に誘導されて遊技球が入賞した場合に参照されるテーブルＤとにより構成され、予め前記ＲＯＭ８２に格納されている。
【０１８６】
以下において、本第６実施例における前記ＬＥＤ１０２によって報知される光表示態様の決定制御を説明する。
【０１８７】
本第６実施例のパチンコ遊技機は、前記入賞口１６および１７への入賞が前記入賞検知スイッチ２６および２７において検知されると、前記入賞口１６および１７への入賞に関しては入賞する順序が遊技者にとって有利であるかどうかに関与しないため、前記ＬＥＤ１０２によって光表示態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため、前記ＬＥＤ１０２によって光表示態様（ア）を報知する。なお、光表示態様（ア）については、前記ＬＥＤ１０２が点灯状態においては１ｓ間点滅した後、次に信号が入力されるまでの間点灯状態を維持するものとし、前記ＬＥＤ１０２が消灯状態においては１ｓ間点滅表示した後、次に信号が入力されるまでの間消灯状態を維持するものとする。
【０１８８】
ここで、上述した「状態１」において前記第２種非電動役物１２の前記左誘導部材５０および右誘導部材５１に誘導されて遊技球が入賞して、前記入賞検知スイッチ２２において入賞が検知されると、前記入賞検知スイッチ２２における入賞データおよび前記一時保存手段に保存された入賞前の前記第２種非電動役物１２ないし１５の開閉状態のデータに基づき、図２４に示される前記入賞判定テーブル９３のテーブルＡにおける上から４行目を参照して、該入賞が遊技者にとって有利な入賞であると判定され、前記ＬＥＤ１０２において光表示態様（カ）が報知される。なお、前記第２種非電動役物１２は拡開状態から閉鎖状態へと変換され、前記第２種非電動役物１５は閉鎖状態から拡開状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は拡開状態であると上書きされる。なお、光表示態様（カ）については、前記ＬＥＤ１０２において１．２ｓ間点滅表示した後、次の信号が入力されるまでの間点灯状態を維持するものとする。
【０１８９】
また、上述した「状態２」において前記第２種非電動役物１５の前記左誘導部材および右誘導部材に誘導されて遊技球が入賞して、前記入賞検知スイッチ２５において入賞が検知されると、前記入賞検知スイッチ２５における入賞データおよび前記一時保存手段に保存された入賞前の前記第２種非電動役物１２ないし１５の開閉状態のデータに基づき、図２４に示される前記入賞判定テーブル９３のテーブルＤにおける上から６行目を参照して該入賞が遊技者にとって有利な入賞であると判定され、前記ＬＥＤ１０２において光表示態様（カ）が報知される。なお、前記第２種非電動役物１５は拡開状態から閉鎖状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は閉鎖状態であると上書きされる。
【０１９０】
一方、上述した「状態２」において前記第２種非電動役物１３の前記左誘導部材および右誘導部材に誘導されて遊技球が入賞して、前記入賞検知スイッチ２３において入賞が検知されると、前記入賞検知スイッチ２３における入賞データおよび前記一時保存手段に保存された入賞前の前記第２種非電動役物１２ないし１５の開閉状態のデータに基づき、図２４に示される前記入賞判定テーブル９３のテーブルＢにおける上から７行目を参照して該入賞が遊技者にとって有利とならない入賞であると判定され、前記ＬＥＤ１０２において光表示態様（サ）が報知される。なお、前記第２種非電動役物１３は拡開状態から閉鎖状態へと変換され、前記第２種非電動役物１５は拡開状態を維持するとともに、前記一時保存手段において保存する開閉状態のデータが、前記第２種非電動役物１２は閉鎖状態、前記第２種非電動役物１３は閉鎖状態、前記第２種非電動役物１４は閉鎖状態および前記第２種非電動役物１５は拡開状態であると上書きされる。なお、光表示態様（サ）については、前記ＬＥＤ１０２において１．２ｓ間点滅表示した後、次の信号が入力されるまでの間消灯状態を維持するものとする。
【０１９１】
本第６実施例のパチンコ遊技機においては、上述したように前記第２種非電動役物１２ないし１５の前記左誘導部材および右誘導部材に誘導されて遊技球が入賞する毎に、上記した前記入賞判定テーブル９３を参照して前記ＬＥＤ１０２によって報知する光表示態様を選択する。
【０１９２】
なお、本第６実施例のパチンコ遊技機においては光表示態様（カ）を遊技者にとって有利な入賞であると判定された場合に報知される光表示態様として、光表示態様（サ）を遊技者にとって有利な入賞とならないと判定された場合に報知される光表示態様とする。
【０１９３】
以下、上記構成および作用の本第６実施例のパチンコ遊技機の効果について説明する。
【０１９４】
上記作用を奏する第６実施例のパチンコ遊技機は、前記入賞検知スイッチ２２ないし２５が前記第２種非電動役物１２ないし１５への入賞を検知して入賞情報を出力するとともに、前記開閉状態検知手段９２が前記第２種非電動役物１２ないし１５の開閉状態を検知して、前記第２種非電動役物１２ないし１５に入賞する毎に、前記入賞検知スイッチ２２ないし２５により検知された入賞情報および前記開閉状態検知手段９２における検知出力に基づいて構成される前記入賞判定テーブル９３に従って、前記第２種非電動役物１２ないし１５への入賞が遊技者にとって有利かどうかを判定するとともに、該判定結果に基づき前記ＬＥＤ１０２によって、該入賞が遊技者にとって有利かどうかで異なった光表示態様によって報知するので、遊技者は報知された光表示態様の順序により前記第２種非電動役物１２ないし１５への入賞が遊技者にとって有利となる入賞かどうかを知ることができるという効果を奏する。
【０１９５】
上記作用を奏する第６実施例のパチンコ遊技機は、報知された該光表示態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１９６】
上記作用を奏する第６実施例のパチンコ遊技機は、前記第２種非電動役物１２ないし１５への入賞が前記入賞検知スイッチ２２ないし２５において検知される毎に、前記入賞判定テーブル９３を参照して、遊技者にとって有利となるかどうかを判定するため、前記入賞検知スイッチにおいて取得された入賞情報を前記ＲＡＭ８３に記憶する必要がないので、高価な前記ＲＡＭ８３において必要となるメモリ容量を削減することにより安価な部品によってパチンコ遊技機を製造することができるという効果を奏する。
【０１９７】
本第６実施例のパチンコ遊技機は、前記第２種非電動役物１２ないし１５への入賞順序の適否に基づきＬＥＤ１０２の点灯状態、点滅状態または消灯状態が異なる複数の光表示態様によって報知するので、遊技者が報知された光表示態様により興趣をもって前記第２種非電動役物１２ないし１５への入賞順序の適否を知ることができるという効果を奏する。
【０１９８】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１９９】
前記第１実施例ないし第６実施例においては、前記報知手段９の一例として前記ＬＥＤ９８ａないし９８ｊ、ドット表示部１０１またはＬＥＤ１０２を前記遊技盤１００に配設した形態を採用したが、本発明はこれに限定されるものではなく、パチンコ遊技機の外枠などの遊技者が視認可能な位置においてＬＥＤ９８ａないし９８ｊ、ドット表示部１０１またはＬＥＤ１０２等を配設する構成を採ることも出来るとともに、可動部材にＬＥＤを備えることにより演出効果を高めた報知手段を採用することが出来るものであり、どのような位置、装置または形態によって報知する光表示態様を発生させるかについては、本発明の効果を実現するにあたり有効的に適宜選択できるものであり、上述したＬＥＤ９８ａないし９８ｊ、ドット表示部１０１またはＬＥＤ１０２によるものに限定されない。
【０２００】
前記第１実施例のパチンコ遊技機については一例として、前記第２種非電動役物１２ないし１４に対応して設定された光表示態様を「光表示態様（ア）」として同一のものを採用したが、本発明はこれに限定されるものではなく前記第２種非電動役物１２ないし１４の前記左誘導部材および右誘導部材に誘導されて入賞した遊技球を検知する入賞検知スイッチを備え、前記第２種非電動役物１２に対応した光表示態様を「光表示態様（ア）」、前記第２種非電動役物１３に対応した光表示態様を「光表示態様（ウ）」および前記第２種非電動役物１４に対応した光表示態様を「光表示態様（エ）」として別の光表示態様を設定する形態を採ることが出来る。なお、上記した形態を採った場合には「光表示態様（ア）→光表示態様（イ）」、「光表示態様（ウ）→光表示態様（イ）」「光表示態様（エ）→光表示態様（イ）」「光表示態様（イ）→光表示態様（ア）」「光表示態様（イ）→光表示態様（ウ）」および「光表示態様（イ）→光表示態様（エ）」の順序で光表示態様が報知されると違和感のない光表示態様として意味を有して、「光表示態様（ア）→光表示態様（ウ）」「光表示態様（ア）→光表示態様（エ）」「光表示態様（ウ）→光表示態様（ア）」「光表示態様（ウ）→光表示態様（エ）」「光表示態様（エ）→光表示態様（ア）」および「光表示態様（エ）→光表示態様（ウ）」の順序で光表示態様が報知されると連続した光表示態様として順序またはつながりがちぐはぐになるように光表示態様（ア）ないし光表示態様（エ）を設定する。
【０２０１】
前記第２実施例においては前記光表示態様割振手段８６の入賞順序が「１０」以上の場合に前記第２種非電動役物１２ないし１５への前記左誘導部材および右誘導部材に誘導されて遊技球が入賞した場合の光表示態様については、一律光表示態様（コ）に統一したが、本発明はこれに限定されるものでなく前記光表示態様割振手段８６の入賞順序「１」から「９」においての光表示態様割振と同様に連続性を持ったものとすることが出来る。また、入賞検知スイッチ２０、２１、２６および２７については前記光表示態様割振手段８６の入賞順序によらない光表示態様としたが、入賞順序に応じた光表示態様の順序を割振る構成とすることが出来る。
【０２０２】
前記第２実施例においては、前記入賞検知スイッチ２２ないし２４に対しての光表示態様を光表示態様（ア）ないし光表示態様（コ）、光表示態様（ア）´ないし光表示態様（コ）´および光表示態様（ア）´´ないし光表示態様（コ）´´を備えた構成としたが、本発明はこれに限定されるものでなく前記入賞検知手段２２ないし２４に対しての光表示態様を同一の（ア）ないし光表示態様（コ）とすることが出来る。
【０２０３】
第３実施例のパチンコ遊技機において、前記透光性装飾部材１０３を桃の容に成形したものとしたが、本発明はこれに限定されるものではなく、効果的な報知演出を実現するものであれば動物、植物、キャラクター、文字等またはこれらの組み合わせを適宜選択して用いることが出来る。
【０２０４】
前記第３実施例においては光表示態様（Ａ）から光表示態様（Ｊ）で報知される光情報については、昔話「桃太郎」において表現される場面を１０等分して光表示態様（Ａ）から光表示態様（Ｊ）に対して時系列の順に並べた構成としたが、本発明はこれに限定されるものでなく、光情報において表現でき違和感のない配列をなすものにおいて、本発明の効果を実現するにあたり有効的に適宜選択できるものである。
【０２０５】
前記第３実施例においては光表示態様（Ａ）から光表示態様（Ｊ）で報知される光情報については、前記ドット表示部１０１によって報知する構成としたが、本発明はこれに限定されるものでなく、７セグＬＥＤまたは液晶表示などによって報知する形態を採用することが出来る。
【０２０６】
前記第３実施例においては光表示態様（１）から光表示態様（１０）で報知される光情報については、前記ＬＥＤ１０２における点滅速度の差異によって構成したが、本発明はこれに限定されるものでなく、光量の差異などによって１０段階の光表示態様を構成する形態を採用することが出来る。
【０２０７】
前記第３実施例および第４実施例においては前記光表示態様割振手段８６２および８６３における入賞順序に応じた光表示態様の割振パターンを一例として３種類備える構成としたが、本発明はこれに限定されるものでなく該割振パターンを複数種類備え、該複数の割振パターンを遊技状況に応じて選択的に用いるものであればよい。
【０２０８】
前記第３実施例および第４実施例においては、前記光表示態様割振手段８６２および８６３によって選択される連続性を有する光表示態様を１０つの光表示態様すべてが報知された時に、繋がった新たな光表示態様として完結するものとしたが、本発明はこれに限定されるものでなく一例として、連続性を有する光表示態様が４つもしくは６つの光表示態様すべてが順に報知された時に、繋がった新たな光表示態様として完結するものとしてもよいし、これらに限定されるものではない。
【０２０９】
前記第４実施例においては前記光表示態様割振手段８６３においては前記第２種非電動役物１２ないし１５の前記左誘導部材および右誘導部材に誘導による遊技球の入賞に対しての光表示態様割振パターンを一例として３種類備えた構成としたが、本発明はこれに限定されるものでなく図１９（ａ）に示される光表示態様割振パターン１種類のみとする形態を採用することが出来る。
【０２１０】
前記第１実施例、第４実施例および第５実施例においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０２１１】
前記第１実施例、第４実施例および第５実施例においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第２実施例、第３実施例および第６実施例に適用することができる。
【０２１２】
前記第１実施例ないし第６実施例のパチンコ遊技機において報知する光表示態様の連続性については、上述したように一例として連続性を有する「光表示態様（ア）→光表示態様（イ）」と、連続性を有しないちぐはぐな「光表示態様（ア）→光表示態様（ウ）」によって前記入賞装置への入賞順序の適否を報知する構成としたが、本発明はこれらに限定されるものでなく、適当なタイミングで報知されると連続性を有する「光表示態様（ア）→発生のタイミングが適当な光表示態様（イ）」に対して、光表示態様（イ）を報知するタイミングを前後にずらすことにより連続性を有しないちぐはぐな「光表示態様（ア）→発生のタイミングがずれた光表示態様（イ）」を備えることによって、前記入賞装置への入賞順序の適否を報知する形態を採用することが出来る。
【０２１３】
前記第２実施例ないし第４実施例のパチンコ遊技機においては報知する光表示態様を選択する光表示態様割振手段を図１３に示されるようにメイン制御基板に備えた構成としたが、光表示態様割振手段をランプ声制御基板に格納して、入賞検知スイッチ等の検知出力に従いランプ声制御基板においてメイン制御基板とは独立して報知する光表示態様を選択する構成とすることが出来る。
【０２１４】
前記第５実施例または第６実施例のパチンコ遊技機においては、前記第２種非電動役物の左誘導部材および右誘導部材に誘導されて入賞した場合に、該入賞が遊技者にとって有利となる入賞であった時に前記ＬＥＤ９８ｇないし９８ｉまたはＬＥＤ１０２によって報知する光表示態様を１種類の同一の光表示態様としたが、本発明はこれに限定されるものではなく第２実施例ないし第４実施例において記載したように、前記ＬＥＤ９８ａないし９８ｊ、ドット表示部１０１またはＬＥＤ１０２によって報知する光表示態様を複数種類備え、該入賞が遊技者にとって有利となる入賞であった時に前記ＬＥＤ９８ａないし９８ｊ、ドット表示部１０１またはＬＥＤ１０２によって報知される光表示態様が連続性を有する違和感のない光表示態様を形成するような形態を採用することが出来る。
【０２１５】
前記第１実施例ないし第６実施例に記載したパチンコ遊技機においては、一例として前記ＬＥＤ９８ａないし９８ｊ、ドット表示部１０１またはＬＥＤ１０２によって実現される光情報を用いての報知形態を採用したが、本発明はこれに限定されるものではなくスピーカ等を用いた光情報による報知形態、ソレノイドまたはモータを用いた報知役物による報知形態、またはおよび電気的駆動力を用いずに該報知役物を作動させることにより実現される報知形態等を本発明の効果を実現するにあたり有効的に適宜組み合わせることが出来るものである。
【０２１６】
前記第５実施例においては、前記入賞情報比較手段９１の比較結果に基づいて、前回の入賞に対する今回の入賞の順序が遊技者にとって有利な順序でないと判定した後においても、前記ＬＥＤ９８ｇないし９８ｉによる報知を行なう構成としたが、本発明はこれに限定されるものでなく一例として、前回の入賞に対する今回の入賞の順序が遊技者にとって有利な順序でないと判定した後においては、前記ＬＥＤ９８ｇないし９８ｉによる報知を行なわない形態を採用することが出来る。なお、前記ＬＥＤ９８ｇないし９８ｉによる報知を停止した後には、前記左ゲート３０、中ゲート３１または右ゲート３２への遊技球の進入を検知する等の一定条件を満たすと再び前記ＬＥＤ９８ｇないし９８ｉによる報知が開始される構成とする。
【０２１７】
上述した第５実施例においては前記ＬＥＤ９８ｇないし９８ｉは緑色、青色および赤色を発光するＬＥＤを夫々備えた構成としたが、本発明はこれに限定されるものではなく、緑色、青色および赤色以外の色を用いてもよいし色の種類は３種類に限られるものではない。また、異なった色を発光することによって報知する形態としては、緑色、青色および赤色等の色を付加した透光性の前記クリアプレート９９Ａないし９９Ｊに対して１種類のＬＥＤを発光させる形態を採用することができる。
【０２１８】
前記第６実施例においては、前記判定手段９４の判定結果に基づいて、今回の入賞の順序が遊技者にとって有利な順序でないと判定した後においても、前記ＬＥＤ１０２による報知を行なう構成としたが、本発明はこれに限定されるものでなく一例として、今回の入賞の順序が遊技者にとって有利な順序でないと判定した後においては、前記ＬＥＤ１０２による報知を行なわない形態を採用することが出来る。なお、前記ＬＥＤ１０２による報知を停止した後には、前記左ゲート３０、中ゲート３１または右ゲート３２への遊技球の進入を検知する等の一定条件を満たすと再び前記ＬＥＤ１０２による報知が開始される構成とする。
【０２１９】
前記第１実施例ないし第６実施例に記載したパチンコ遊技機においては、入賞検知手段の検知出力に基づいて入賞装置への入賞順序の適否を報知する形態を採用したが、本発明はこれに限定されることなく、遊技球の入球しやすい拡開状態と、遊技球の入球しにくい閉鎖状態を備えた複数の入賞装置を有するとともに、遊技球が複数の進入穴へ進入した時および入賞装置へ入賞した時に、入賞装置の拡開状態と閉鎖状態とを変換する変換機構とを備え、遊技球の動きによって動く部材の動きにより作動するもしくは作動を停止するＬＥＤまたはドット表示等の光表示態様によって、入賞装置への入賞順序の適否を報知する形態を採用することが出来る。
【産業上の利用可能性】
【０２２０】
遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、入賞検知手段の検知出力に基づき入賞順序の適否に基づく光表示態様によって報知する報知手段を備え、遊技者は報知された光表示態様により前記入賞装置への入賞順序の適否を知ることができるという用途に適用できる。
【図面の簡単な説明】
【０２２１】
【図１】本発明の第１実施例ないし第６実施例パチンコ遊技機を示す正面図である。
【図２】本第１実施例ないし第６実施例のパチンコ遊技機の遊技盤面を示す正面図である。
【図３】本第１実施例、第４実施例および第５実施例におけるパチンコ遊技機の遊技盤裏面に配設された、遊技球導出路、変換機構および入賞検知スイッチを示す裏面図である。
【図４】本第１実施例ないし第６実施例のパチンコ遊技機の第１種非電動役物および変換機構を示す部分拡大正面図および部分拡大斜視図である。
【図５】本第１実施例ないし第６実施例のパチンコ遊技機の第１種非電動役物および変換機構を示す部分拡大側面図および部分拡大正面図である。
【図６】本第１実施例ないし第６実施例のパチンコ遊技機の第２種非電動役物および変換機構を示す部分拡大正面図および部分拡大斜視図である。
【図７】本第１実施例ないし第６実施例のパチンコ遊技機の第２種非電動役物および変換機構を示す部分拡大側面図および部分拡大正面図である。
【図８】本第１実施例ないし第６実施例のパチンコ遊技機の第２種非電動役物および変換機構の要部を示す部分拡大正面図である。
【図９】本第１実施例ないし第６実施例のパチンコ遊技機の第２種非電動役物および変換機構の要部を示す部分拡大上面図である。
【図１０】本第１実施例ないし第６実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する光表示態様を選択して報知するための制御ブロック図である。
【図１２】本第１実施例のパチンコ遊技機において、入賞検知スイッチと報知される光表示態様の対応関係を示す説明図である。
【図１３】本第２実施例および第３実施例のパチンコ遊技機における報知する光表示態様を選択して報知するための制御ブロック図である。
【図１４】本第２実施例の光表示態様割振手段により選択される光表示態様を示した説明図である。
【図１５】本第２実施例、第３実施例および第６実施例のパチンコ遊技機の遊技盤裏面に配設された、遊技球導出路、変換機構および入賞検知スイッチを示す裏面図である。
【図１６】本第３実施例の光表示態様割振手段により選択される光表示態様を示した説明図である。
【図１７】本第３実施例の光表示態様割振手段により選択され、ドット表示部において報知される光表示態様の詳細を示した説明図である。
【図１８】本第４実施例のパチンコ遊技機における報知する光表示態様を選択して報知するための制御ブロック図である。
【図１９】本第４実施例の光表示態様割振手段により選択される光表示態様を示した説明図である。
【図２０】本第５実施例のパチンコ遊技機における報知する光表示態様を選択して報知するための制御ブロック図である。
【図２１】本第５実施例のパチンコ遊技機において、入賞検知スイッチによる入賞情報の出力から報知する光表示態様を選択する際の流れを示すフローチャート図である。
【図２２】本第６実施例のパチンコ遊技機における報知する光表示態様を選択して報知するための制御ブロック図である。
【図２３】本第６実施例のパチンコ遊技機における、第２種非電動役物と開閉状態検知装置の位置関係を示す部分拡大側面図である。
【図２４】本第６実施例の入賞判定テーブルの詳細を示した説明図である。
【図２５】従来のパチンコ遊技機において、各動作状態と該各役物装置への入賞順序の適否に関係しない予め設定された順序およびタイミングにおいて飾りＬＥＤを点滅または点灯させる対応関係を示した説明図。
【符号の説明】
【０２２２】
１  変換機構
２  入賞検知手段
８  光表示部
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  ランプ声制御基板
８５  払出制御基板
８６、８６２および８６３  光表示割振手段
９１  入賞情報比較手段
９２  開閉状態検知手段
９３  入賞判定テーブル
９４  判定手段
９８ａないし９８ｊおよび１０２  ＬＥＤ
９９Ａないし９９Ｊ  クリアプレート
１００  遊技盤
１０１  ドット表示部
１１２ないし１１５  開閉状態検知装置
１２０  揺動部材
１２１  ローラ状部材
１２２  接点部材
１４１  操作ハンドル
ＣＬ  閉鎖落下点
ＯＰ  拡開落下点
【図１】
2010125077.tif 000003
【図２】
2010125077.tif 000004
【図３】
2010125077.tif 000005
【図４】
2010125077.tif 000006
【図５】
2010125077.tif 000007
【図６】
2010125077.tif 000008
【図７】
2010125077.tif 000009
【図８】
2010125077.tif 000010
【図９】
2010125077.tif 000011
【図１０】
2010125077.tif 000012
【図１１】
2010125077.tif 000013
【図１２】
2010125077.tif 000014
【図１３】
2010125077.tif 000015
【図１４】
2010125077.tif 000016
【図１５】
2010125077.tif 000017
【図１６】
2010125077.tif 000018
【図１７】
2010125077.tif 000019
【図１８】
2010125077.tif 000020
【図１９】
2010125077.tif 000021
【図２０】
2010125077.tif 000022
【図２１】
2010125077.tif 000023
【図２２】
2010125077.tif 000024
【図２３】
2010125077.tif 000025
【図２４】
2010125077.tif 000026
【図２５】
2010125077.tif 000027